(57)【要約】【課題】  撮影装置において、欠陥を含む画像が記録されてしまうことを簡易に防止できるようにする。【解決手段】  本発明に係るデジタルカメラ１０によれば、撮像部１６により取り込まれた、撮影しようとする画像データの四隅の画素の信号値に基づいて、画像データにケラレが含まれているか否かが判別され、ケラレが含まれていると判別された場合、表示部１５にケラレ警告画面が表示されることによりその旨が撮影者に通知される。【選択図】図１
2006174034.tif 000002
【特許請求の範囲】
【請求項１】
被写体の光学画像を電気信号に変換してデジタル画像を取得する画像取得手段と、
前記画像取得手段により取得されたデジタル画像が欠陥を含む欠陥画像であるか否かを判別する判別手段と、
前記判別手段において前記画像取得手段により取得されたデジタル画像が欠陥画像であると判別された場合に、その旨を通知する通知手段と、
を備えたことを特徴とする撮影装置。
【請求項２】
撮影動作を指示するシャッタースイッチと、
前記判別手段において前記画像取得手段により取得されたデジタル画像が欠陥画像であると判別された場合に、前記シャッタースイッチの動作を無効とする制御手段を備えたことを特徴とする請求項１に記載の撮影装置。
【請求項３】
前記画像取得手段において取得されたデジタル画像を拡大するデジタルズーム手段と、
前記判別手段において前記画像取得手段により取得されたデジタル画像に欠陥であるケラレが含まれると判別された場合に、前記デジタルズーム手段の拡大倍率を高倍率に変更する制御手段と、
を備えたことを特徴とすることを特徴とする請求項１に記載の撮影装置。
【請求項４】
前記通知手段は、前記判別手段において前記画像取得手段により取得された画像に欠陥であるケラレが含まれると判別された場合に、被写体と当該撮影装置との相対距離の増加を促す指示情報を出力することを特徴とする請求項３に記載の撮影装置。
【請求項５】
前記指示情報は、音情報及び／又は光情報であることを特徴とする請求項４に記載の撮影装置。
【請求項６】
被写体の光学画像を電気信号に変換してデジタル画像を取得する画像取得手段と、
前記画像取得手段により取得されたデジタル画像を記録する画像記録手段と、
前記画像記録手段に記録されたデジタル画像を再生する際に、前記画像記録手段に記録されたデジタル画像が欠陥を含む欠陥画像であるか否かを判別する判別手段と、
前記判別手段において前記画像記録手段に記録された前記デジタル画像が欠陥を含む画像と判別された際に、その旨を通知する通知手段と、
前記欠陥を含むと判別されたデジタル画像の前記画像記録手段からの消去を指示するための消去指示入力手段と、
前記消去指示入力手段から前記デジタル画像の消去が指示された場合に、そのデジタル画像を前記画像記録手段から消去するように制御する制御手段と、
を備えたことを特徴とする撮影装置。
【請求項７】
前記制御手段は、前記消去指示入力手段から前記デジタル画像の消去が指示されなかった場合に、その欠陥が含まれるデジタル画像に欠陥画像であることを示す識別子を付加して前記画像記録手段の専用の領域に格納することを特徴とする請求項６に記載の撮影装置。
【請求項８】
被写体の光学画像を電気信号に変換してデジタル画像を取得する画像取得手段と、
前記画像取得手段により取得されたデジタル画像を記録する画像記録手段と、
前記画像取得手段により取得されたデジタル画像が欠陥を含む欠陥画像であるか否かを判別する判別手段と、
前記判別手段により、前記画像取得手段において取得されたデジタル画像が欠陥画像ではないと判別された場合に、そのデジタル画像を前記画像記録手段に記録し、前記画像取得手段により取得されたデジタル画像が前記欠陥画像であると判別された場合に、前記画像記録手段に前記デジタル画像を記録しないように制御する制御手段と、
を備えたことを特徴とする撮影装置。
【請求項９】
前記欠陥はケラレであって、
前記判別手段は、前記画像取得手段により取得されたデジタル画像の四隅の画素の信号値に基づいて、前記デジタル画像にケラレが含まれているか否かを判別することを特徴とする請求項１〜８の何れか一項に記載の撮影装置。
【請求項１０】
被写体の光学画像を電気信号に変換してデジタル画像を取得する画像取得手段と、
前記画像取得手段により取得されたデジタル画像が欠陥を含む欠陥画像であるか否かを判別する判別手段と、
前記判別手段において、前記画像取得手段により取得されたデジタル画像が欠陥画像であると判別された場合に、前記デジタル画像の欠陥を除去する補正手段を備えたことを特徴とする撮影装置。
【請求項１１】
外付けレンズの装着を検知するレンズ装着検知手段を備え、
前記判別手段は、前記レンズ装着検知手段により外付けレンズの装着が検知された場合に、前記画像取得手段により取得されたデジタル画像が欠陥画像であるか否かの判別を行うことを特徴とする請求項１〜１０の何れか一項に記載の撮影装置。
【請求項１２】
コンピュータに、
被写体の光学画像を電気信号に変換して得られたデジタル画像が欠陥を含む欠陥画像であるか否かを判別する機能と、
前記取得されたデジタル画像が欠陥画像であると判別された場合に、その旨を通知する機能と、
を実現させるためのプログラム。
【請求項１３】
コンピュータに、
被写体の光学画像を電気信号に変換して得られたデジタル画像を画像記録手段に記録する機能と、
前記画像記録手段に記録されたデジタル画像を再生する際に、前記画像記録手段に記録されたデジタル画像が欠陥を含む欠陥画像であるか否かを判別する機能と、
前記画像記録手段に記録されたデジタル画像が欠陥を含む画像と判別された際に、その旨を通知する機能と、
前記欠陥を含むと判別されたデジタル画像の前記画像記録手段からの消去を指示するための消去指示入力手段から前記デジタル画像の消去が指示された場合に、そのデジタル画像を前記画像記録手段から消去するように制御する機能と、
を実現させるためのプログラム。
【請求項１４】
コンピュータに、
被写体の光学画像を電気信号に変換して得られたデジタル画像が欠陥を含む欠陥画像であるか否かを判別する機能と、
前記取得されたデジタル画像が欠陥画像ではないと判別された場合に、そのデジタル画像を画像記録手段に記録し、前記取得されたデジタル画像が前記欠陥画像であると判別された場合に、前記画像記録手段に前記デジタル画像を記録しないように制御する機能と、
を実現させるためのプログラム。
【請求項１５】
コンピュータに、
被写体の光学画像を電気信号に変換して得られたデジタル画像が欠陥を含む欠陥画像であるか否かを判別する機能と、
前記取得されたデジタル画像が欠陥画像であると判別された場合に、前記デジタル画像の欠陥を除去する機能と、
を実現させるためのプログラム。
【発明の詳細な説明】
【技術分野】
【０００１】
本発明は、被写体の光学画像を電気信号に変換して得られたデジタル画像が欠陥を含む欠陥画像であるか否かを判別する機能を備えた撮影装置及びプログラムに関する。
【背景技術】
【０００２】
デジタルカメラ等の撮影装置おいて撮影された画像には、ケラレ、画揺れ、ぼけ等の欠陥が生じることがある。
【０００３】
ケラレとは、図１３に示すように、撮影画像内の隅に生じる影等であり、外付けの望遠レンズを装着時の、望遠レンズの見掛け視界よりデジタルカメラの画角が大きい場合や望遠レンズの直径よりもデジタルカメラの対物レンズ直径が大きい場合等に生じる。
【０００４】
また、デジタルカメラの画揺れ補正において大きな補正量が発生した場合においても、画像中に無効領域が表示されてしまいケラレが発生する。
【０００５】
このようなケラレの発生を防止するための技術として、例えば、特許文献１には、画隅のケラレを発生させることなく、各ズーム位置において撮像面の余剰エリアを有効に利用して画揺れを補正する技術が記載されている。
【特許文献１】特開２００３−０７８８０９号公報
【発明の開示】
【発明が解決しようとする課題】
【０００６】
しかし、特許文献１に記載されているように、画像にケラレが発生しないように補正を行うための処理は煩雑である。煩雑な処理を行うことなくケラレが発生した画像を記録することを防止するには、撮影者がケラレの発生を認識できればよいが、撮影時には撮影者の注意はレンズの中心付近に向いてしまうため、ケラレがあるかないかわからない微妙な状態の場合、認識できずに撮影を行ってしまうことが多い。
【０００７】
ケラレ以外の欠陥についても同様であり、撮影者がファインダで確認することは困難な場合が多い。そのため、撮影後に欠陥画像を選り分けたり、消去したりといった煩雑な作業を行わなければならない。また、後で消去されてしまうような欠陥画像を撮影することにより、画像を記録する画像記録手段も無駄に使用されてしまうという問題がある。
【０００８】
本発明の課題は、撮影装置において、欠陥を含む画像が記録されてしまうことを簡易に防止できるようにすることである。
【課題を解決するための手段】
【０００９】
上記課題を解決するため、請求項１に記載の発明の撮影装置は、
被写体の光学画像を電気信号に変換してデジタル画像を取得する画像取得手段と、
前記画像取得手段により取得されたデジタル画像が欠陥を含む欠陥画像であるか否かを判別する判別手段と、
前記判別手段において前記画像取得手段により取得されたデジタル画像が欠陥画像であると判別された場合に、その旨を通知する通知手段と、
を備えたことを特徴としている。
【００１０】
請求項６に記載の発明の撮影装置は、
被写体の光学画像を電気信号に変換してデジタル画像を取得する画像取得手段と、
前記画像取得手段により取得されたデジタル画像を記録する画像記録手段と、
前記画像記録手段に記録されたデジタル画像を再生する際に、前記画像記録手段に記録されたデジタル画像が欠陥を含む欠陥画像であるか否かを判別する判別手段と、
前記判別手段において前記画像記録手段に記録された前記デジタル画像が欠陥を含む画像と判別された際に、その旨を通知する通知手段と、
前記欠陥を含むと判別されたデジタル画像の前記画像記録手段からの消去を指示するための消去指示入力手段と、
前記消去指示入力手段から前記デジタル画像の消去が指示された場合に、そのデジタル画像を前記画像記録手段から消去するように制御する制御手段と、
を備えたことを特徴としている。
【００１１】
請求項８に記載の発明の撮影装置は、
被写体の光学画像を電気信号に変換してデジタル画像を取得する画像取得手段と、
前記画像取得手段により取得されたデジタル画像を記録する画像記録手段と、
前記画像取得手段により取得されたデジタル画像が欠陥を含む欠陥画像であるか否かを判別する判別手段と、
前記判別手段により、前記画像取得手段において取得されたデジタル画像が欠陥画像ではないと判別された場合に、そのデジタル画像を前記画像記録手段に記録し、前記画像取得手段により取得されたデジタル画像が前記欠陥画像であると判別された場合に、前記画像記録手段に前記デジタル画像を記録しないように制御する制御手段と、
を備えたことを特徴としている。
【００１２】
請求項１０に記載の発明の撮影装置は、
被写体の光学画像を電気信号に変換してデジタル画像を取得する画像取得手段と、
前記画像取得手段により取得されたデジタル画像が欠陥を含む欠陥画像であるか否かを判別する判別手段と、
前記判別手段において、前記画像取得手段により取得されたデジタル画像が欠陥画像であると判別された場合に、前記デジタル画像の欠陥を除去する補正手段を備えたことを特徴としている。
【００１３】
請求項１２に記載の発明のプログラムは、
コンピュータに、
被写体の光学画像を電気信号に変換して得られたデジタル画像が欠陥を含む欠陥画像であるか否かを判別する機能と、
前記取得されたデジタル画像が欠陥画像であると判別された場合に、その旨を通知する機能と、
を実現させることを特徴としている。
【００１４】
請求項１３に記載の発明のプログラムは、
コンピュータに、
被写体の光学画像を電気信号に変換して得られたデジタル画像を画像記録手段に記録する機能と、
前記画像記録手段に記録されたデジタル画像を再生する際に、前記画像記録手段に記録されたデジタル画像が欠陥を含む欠陥画像であるか否かを判別する機能と、
前記画像記録手段に記録されたデジタル画像が欠陥を含む画像と判別された際に、その旨を通知する機能と、
前記欠陥を含むと判別されたデジタル画像の前記画像記録手段からの消去を指示するための消去指示入力手段から前記デジタル画像の消去が指示された場合に、そのデジタル画像を前記画像記録手段から消去するように制御する機能と、
を実現させることを特徴としている。
【００１５】
請求項１４に記載の発明のプログラムは、
コンピュータに、
被写体の光学画像を電気信号に変換して得られたデジタル画像が欠陥を含む欠陥画像であるか否かを判別する機能と、
前記取得されたデジタル画像が欠陥画像ではないと判別された場合に、そのデジタル画像を前記画像記録手段に記録し、前記取得されたデジタル画像が前記欠陥画像であると判別された場合に、画像記録手段に前記デジタル画像を記録しないように制御する機能と、
を実現させることを特徴としている。
【００１６】
請求項１５に記載の発明のプログラムは、
コンピュータに、
被写体の光学画像を電気信号に変換して得られたデジタル画像が欠陥を含む欠陥画像であるか否かを判別する機能と、
前記取得されたデジタル画像が欠陥画像であると判別された場合に、前記デジタル画像の欠陥を除去する機能と、
を実現させることを特徴としている。
【発明の効果】
【００１７】
請求項１、１２に記載の発明によれば、被写体の光学画像を電気信号に変換して得られたデジタル画像が欠陥を含む欠陥画像であるか否かを判別し、取得されたデジタル画像が欠陥画像であると判別された場合に、その旨を通知するので、
ケラレが含まれる撮影画像が記録されてしまうことを簡易な処理で防止することができる。
【００１８】
請求項２に記載の発明によれば、被写体の光学画像を電気信号に変換して得られたデジタル画像が欠陥画像であると判別された場合に、シャッタースイッチの動作を無効とするので、ケラレが含まれる画像が撮影され、記録されることを簡易な処理で未然に防止することが可能となり、撮影画像を記録する画像記録手段の無駄を抑制することができる。また、ユーザがパーソナルコンピュータ等で画像に欠陥が含まれるか否かを目視により判別し、消去する作業を行う必要がなくなる。
【００１９】
請求項３に記載の発明によれば、被写体の光学画像を電気信号に変換して得られたデジタル画像に欠陥であるケラレが含まれると判別された場合に、デジタルズームの拡大倍率を高倍率に変更するので、撮影しようとする画像データにケラレが含まれていても、自動的にケラレを解消し、ケラレのない撮影画像を得ることが可能となる。
【００２０】
請求項４、５に記載の発明によれば、被写体の光学画像を電気信号に変換して得られたデジタル画像に欠陥であるケラレが含まれると判別された場合に被写体と当該撮影装置との相対距離の増加を促す指示情報を出力するので、セルフタイマ設定時においてもデジタルズームの拡大倍率を高倍率に変更することが可能となり、自動的にケラレを解消し、ケラレのない撮影画像を得ることが可能となる。
【００２１】
請求項６、１３に記載の発明によれば、被写体の光学画像を電気信号に変換して得られたデジタル画像を画像記録手段に記録し、画像記録手段に記録されたデジタル画像を再生する際に、画像記録手段に記録されたデジタル画像が欠陥を含む欠陥画像であるか否かを判別し、欠陥を含む画像と判別された際に、その旨を通知し、そのデジタル画像の画像記録手段からの消去を指示するための消去指示入力手段からデジタル画像の消去が指示された場合に、そのデジタル画像を画像記録手段から消去する。従って、欠陥が含まれるデジタル画像が記録されていることにより画像記録手段の記憶容量が圧迫されることを抑制することができる。また、ユーザがパーソナルコンピュータ等により画像に欠陥が含まれるか否かを目視により判別し、消去する作業を行う必要がなくなる。
【００２２】
請求項７に記載の発明によれば、消去指示入力手段からデジタル画像の消去が指示されなかった場合に、その欠陥が含まれるデジタル画像に欠陥画像であることを示す識別子を付加して画像記録手段の専用の領域に格納するので、欠陥画像を検索することが容易となる。
【００２３】
請求項８、１４に記載の発明によれば、被写体の光学画像を電気信号に変換して得られたデジタル画像を被写体の光学画像を電気信号に変換して得られたデジタル画像が欠陥を含む欠陥画像であるか否かを判別し、そのデジタル画像が欠陥画像ではないと判別された場合に、そのデジタル画像を画像記録手段に記録し、取得されたデジタル画像が欠陥画像であると判別された場合に、画像記録手段にデジタル画像を記録しないように制御する。従って、欠陥が含まれていると判別されたデジタル画像は自動的に記録されないようになっているので、画像記録手段の記憶領域の無駄を抑制することができる。また、撮影後、ユーザがパーソナルコンピュータ等で画像にケラレが発生しているか否かを目視により判別し、消去する作業を行う必要がなくなる。
【００２４】
請求項９に記載の発明によれば、デジタル画像の四隅の画素の信号値に基づいて、デジタル画像に欠陥であるケラレが含まれていることを容易に判別することができる。
【００２５】
請求項１０、１５に記載の発明によれば、被写体の光学画像を電気信号に変換して得られたデジタル画像が欠陥を含む欠陥画像であるか否かを判別し、取得されたデジタル画像が欠陥画像であると判別された場合に、デジタル画像の欠陥を除去するので、撮影されたデジタル画像を全てケラレのない状態で記録することが可能となる。
【００２６】
請求項１１に記載の発明によれば、外付けレンズの装着が検知された場合に、ケラレが含まれるか否かの判別を行うので、効率良くケラレの判別及び撮影を行うことが可能となる。
【発明を実施するための最良の形態】
【００２７】
以下、図を参照して本発明の実施形態を詳細に説明する。
まず、構成を説明する。
【００２８】
図１は、撮影装置としてのデジタルカメラ１０の機能的構成を示すブロック図である。図１に示すように、デジタルカメラ１０は、ＣＰＵ１１、入力部１２、ＲＡＭ１３、伝送制御１４、表示部１５、撮像部１６、記録部１７、記録媒体１８ａを駆動する記録媒体駆動部１８等を備えて構成されており、各部はバス１９により接続されている。
【００２９】
ＣＰＵ１１は、記録部１７に記憶されているシステムプログラムを読み出し、ＲＡＭ１３内に形成されたワークエリアに展開し、該システムプログラムに従って各部を制御する。また、ＣＰＵ１１は、記録部１７に記憶されている撮影モード処理プログラムを始めとする各種処理プログラムを読み出してワークエリアに展開し、後述する撮影モード処理（図３参照）を始めとする各種処理を実行する。
【００３０】
入力部１２は、電源スイッチ、シャッタースイッチ、撮影に関する各種設定スイッチ及びカーソルスイッチ等を備え、その各スイッチ操作に応じた操作信号をＣＰＵ２１に出力する。
【００３１】
ＲＡＭ１３は、ＣＰＵ１１によって実行される各種プログラム及びこれらプログラムに係るデータを一時的に記憶するワークエリアを形成する。
【００３２】
伝送制御部１４は、通信用ケーブル等により外部の電子機器、例えば、パーソナルコンピュータ等と接続され、画像データ等の送受信を制御する。なお、外部機器との接続は、赤外線や無線等の無線接続であってもよい。
【００３３】
表示部１５は、通知手段としての機能を実現するものである。表示部１５は、ＬＣＤ（Liquid Crystal Display）等のモニタにより構成され、ＣＰＵ１１から入力される表示信号の指示に従って、撮影された画像や、ケラレ警告画面１５１（図７（ａ）参照）、ケラレ報知画面１５２（図７（ｂ）参照）を始めとする各種画面を表示する。また、表示部１５は、点滅することによりセルフタイマ設定時に撮影の実行を通知する通知情報を表示するＬＥＤ（Light Emitting Diode）１と、点滅することにより被写体とデジタルカメラ１０との相対距離の増加を促す指示情報を表示するＬＥＤ２とを備える。
【００３４】
図２は、画像取得手段としての撮像部１６の詳細構成を示す図である。ここで、図２を参照して撮像部１６について説明する。
レンズ２１は、デジタルカメラ１０に内蔵されたレンズ２１ａにより構成されるが、望遠レンズ２１ｂを始めとする外付けレンズを装着することも可能である。
レンズ２１を通過した被写体像は絞り機構２２を介してＣＣＤ（Charge Coupled Diode）２３上に結像される。レンズ２１及び絞り機構２２は、光学系駆動部２４によって、焦点合わせのためにレンズ位置が移動され、また、適切な露出となるように絞り量が制御される。このレンズ２１の移動や絞り機構２２の絞りは、測距センサや光量センサを含むセンサ部２５によって検出された検出値がバス１９を介してＣＰＵ１１に出力され、ＣＰＵ１１で検出値に基づいて演算されたレンズ２１の移動量や絞り機構２２の絞り量を示す信号が光学系駆動部２４に出力されることによって駆動がなされるものである。
【００３５】
ＣＣＤ２３に被写体が結像されることによりＣＣＤ２３には入射光量に応じた電荷が蓄積され、この電荷は駆動回路２６から与えられる駆動パルス信号によって順次読み出され、アナログ処理回路２７に出力される。アナログ処理回路２７は、色分離やゲイン調整、ホワイトバランスなどの各種処理が行われ、処理された信号はＡ／Ｄ変換回路２８を介してデジタル画像データ（以下、画像データと称する）としてバッファレジスタ２９に記憶される。
【００３６】
バッファレジスタ２９に記憶された画像データは、ＣＰＵ１１からの制御信号に基づいて、信号処理回路３０において輝度信号及び色差信号に変換され、表示部１５に表示される。また、信号処理回路３０において処理された画像データは、ＣＰＵ１１からの制御信号に基づいて、圧縮伸張回路３１において圧縮されバス１９を介して図１に示す記録部１７の撮影画像記録領域１７１もしくは記録媒体１８ａに記録される。
【００３７】
図１に戻り、記録部１７は、フラッシュメモリなどの不揮発メモリ等により構成され、デジタルカメラ１０に対応するシステムプログラム、及び該システムプログラム上で実行可能な撮影モード処理プログラムを始めとする各種処理プログラム、アプリケーションプログラム及びこれらのプログラムで処理されたデータ等を記録する。
【００３８】
この記録部１７は、撮影された画像データを記録する画像記録手段としての撮影画像記録領域１７１と、撮影された画像データのうちケラレの含まれない正常な画像データを格納する専用の記憶領域である正常画像フォルダ１７２と、撮影された画像データのうちケラレが含まれる画像データを格納する専用の記憶領域であるケラレ付フォルダ１７３とを有する。
【００３９】
記録媒体駆動部１８は、装着された記録媒体１８ａに対してデータを記録したり、既に記録されているデータを読み出して再生したりするための駆動回路である。装着される記録媒体１８ａとしては、スマートメディア（登録商標）、メモリースティック（登録商標）、コンパクトフラッシュ（登録商標）、ＳＤカード、ＰＣカード、ＩＣカード、ＭＯ（magneto-optic）等の各種カードが用いることができ、これらの各種カードの何れか又は複数のカードに応じた記録媒体駆動部１８が設けられている。
【００４０】
次に、本実施の形態の動作について説明する。
〔撮影モード処理〕
以下、デジタルカメラ１０において、撮影モードが設定されている場合に実行される撮影モード処理について説明する。
図３は、デジタルカメラ１０のＣＰＵ１１により実行される撮影モード処理を示すフローチャートである。当該処理は、ＣＰＵ１１と記録部１７に記憶されている撮影モードプログラムとの協働によるソフトウエア処理により実現される処理である。
【００４１】
まず、撮影モードの詳細設定として、撮影しようとする画像にケラレが含まれているか否かを判別するケラレ判別をする実施設定の有無が判断される（ステップＳ１）。ケラレ判別の実施が設定されていない場合には（ステップＳ１；無）、ケラレ判別を行わない通常の撮影が実行される（ステップＳ２）。入力部１２により撮影モードの終了が指示されるまで、ステップＳ２の処理が繰り返し実行され、撮影モードの終了が指示されると（ステップＳ３；ＹＥＳ）、本処理は終了する。ここで、ケラレ判別の実施が設定されおらず通常の撮影が行われた場合は、ケラレが含まれている可能性があるが、後述する編集モード処理（図９、図１０参照）において、撮影後、撮影画像記録領域１７１又は記録媒体１８ａに記録された画像データに対してケラレが発生しているか否かを判別し、ケラレが含まれていると判別された画像データを削除したり専用のフォルダに格納したりすることができる。
【００４２】
ステップＳ１において、ケラレ判別の実施が設定されていると判断された場合（ステップＳ１；有）、所定時間経過後に自動的に撮影動作を行うセルフタイマの設定が入力部１２により指示されなければ（ステップＳ４；ＮＯ）、図４に示すケラレ判別撮影処理Ａが実行される（ステップＳ５）。入力部１２によりセルフタイマの設定が指示された場合（ステップＳ４；ＹＥＳ）、ケラレ判別撮影処理Ｂが実行される（ステップＳ６）。入力部１２により撮影モードの終了が指示されるまで、ステップＳ４以降の処理が繰り返し実行され、撮影モードの終了が指示されると（ステップＳ７；ＹＥＳ）、本処理は終了する。
【００４３】
＜ケラレ判別撮影処理Ａ＞
以下、図３のステップＳ５において実行されるケラレ判別撮影処理Ａについて説明する。
図４は、ＣＰＵ１１により実行されるケラレ判別撮影処理Ａを示すフローチャートである。当該処理は、ＣＰＵ１１と記録部１７に記憶されているケラレ判別撮影処理Ａプログラムとの協働によるソフトウエア処理により実現される処理である。
【００４４】
まず、撮像部１６において、画像の取り込みが行われる（ステップＴ１）。即ち、ＣＣＤ２３において、レンズ２１及び絞り機構２２を透過して結像された被写体光が光電変換されて電荷が蓄積され、駆動回路２６から与えられる駆動パルス信号によって蓄積された電荷が順次読み出される。読み出された電荷は、アナログ回路２７及びＡ／Ｄ変換器２８を介し画像データに変換され、バッファレジスタ２９に取り込まれる。
【００４５】
図５は、ＣＣＤ２３の撮像面を模式的に示す図である。ＣＣＤの撮像面は、複数の画素（ここでは２５６の画素）が配列されて構成されている。このＣＣＤ２３を構成する各画素の位置は、図５に示すアドレスにより識別するものとする。また、撮像部１６により取り込まれる画像データは、ＣＣＤ２３の各画素の示す情報からなっており、画像データにおける各画素の位置についても、同様のアドレスで識別することとする。
【００４６】
ステップＴ１で画像データが取り込まれると、取り込まれた画像データがＲＡＭ１３に読み出されケラレが含まれているか否かが判別される。ケラレが含まれているか否かの判別は、取り込まれた画像データの四隅の画素が黒であるか否かを判別することより行われる。具体的には、図５に示す左上の画素群ＬＵ（アドレスＡ１、Ａ２、Ａ３、Ｂ１、Ｃ１の画素）、右上の画素群ＲＵ（アドレスＡ１４、Ａ１５、Ａ１６、Ｂ１６、Ｃ１６の画素）、左下の画素群ＬＤ（アドレスＮ１、Ｏ１、Ｐ１、Ｐ２、Ｐ３の画素）、右下の画素群ＲＤ（アドレスＮ１６、Ｏ１６、Ｐ１４、Ｐ１５、Ｐ１６の画素）が黒であるか否かを判別することより、ケラレが含まれているか否かの判別が行われる。
【００４７】
ステップＴ２において、まず、撮像部１６により取り込まれた画像データから、四隅の画素群ＬＵ、ＲＵ、ＬＤ及びＲＤを構成する各画素の信号値が１つずつ参照され、予め設定された基準値以下の信号値、即ち、黒を示す信号値を示す画素の数Ｋがカウントされる（ステップＴ２）。次いで、Ｋ＝０であるか否かが判別され、Ｋ＝０、即ち、四隅を構成する画素群ＬＵ、ＲＵ、ＬＤ及びＲＤの画素に黒が含まれないと判別された場合は（ステップＴ３；ＹＥＳ）、撮影動作を指示するシャッタースイッチ（シャッターＳＷ）が無効となっているか否かが判断され、無効であると判断された場合には（ステップＴ４；ＹＥＳ）、シャッタースイッチが有効にされる（ステップＴ５）。
【００４８】
ここで、デジタルカメラ１０は、図６に示す構成により、ＣＰＵ１１による制御信号に基づき、ＦＥＴ（Field Effect Transistor）のＯＮ／ＯＦＦが切り換えられることにより、シャッタースイッチの動作の有効／無効が切り換えられるようになっている。シャッタースイッチは、デジタルカメラ１０に、撮影画像記録領域１７１や記録媒体１８ａに記録する撮影画像を取り込むための撮影動作を指示するスイッチである。シャッタースイッチから操作信号が入力されると、ＣＰＵ１１の制御により、センサ部２５によって検出された検出値に基づきレンズ２１、絞り機構２２、ＣＣＤ２３等が駆動され、適切な露出、合焦状態で画像データ（撮影画像データ）が取得される。
【００４９】
シャッタースイッチが押下されると（ステップＴ６；ＹＥＳ）、撮像部１６が制御されて撮影動作が行われ、撮影により取り込まれた画像データが記録部１７の撮影画像記録領域１７１もしくは記録媒体１８ａに記録され（ステップＴ７）、処理は図１のステップＳ７に移行する。シャッタースイッチが押下されない場合（ステップＴ６；ＮＯ）、処理は図１のステップＳ７に移行する。
【００５０】
ステップＴ３において、Ｋ＝０ではないと判別された場合、即ち、四隅を構成する画素群ＬＵ、ＲＵ、ＬＤ及びＲＤに黒が含まれると判別された場合（ステップＴ３；ＮＯ）、Ｋ＝２０であるか否かが判別され、Ｋ＝２０ではない、即ち、画素群ＬＵ、ＲＵ、ＬＤ及びＲＤを構成する画素に黒が含まれるが全てが黒ではなく、他の信号値が含まれると判別された場合（ステップＴ８；ＮＯ）、表示部１５の表示画面上に「ケラレが発生している可能性があります。このまま撮影を続行しますか？」というケラレが含まれている可能性を通知するメッセージ、撮影の続行を指示する撮影続行ボタンＢ１、倍率変更を指示する倍率変更ボタンＢ２が表示されたケラレ報知画面１５１（図７（ａ）参照）が表示される。
【００５１】
ケラレ報知画面１５１から撮影続行ボタンＢ１が押下され、このまま撮影を続行することが指示されると（ステップＴ１０；ＹＥＳ）、処理はステップＴ４に移行し、上述したステップＴ４〜Ｔ７の処理が実行される。
【００５２】
ケラレ報知画面１５１から倍率変更ボタンＢ２が押下されると（ステップＴ１０；ＮＯ）、デジタルズーム機能により倍率がテレ側（高倍率）に変更され（ステップＴ１１）、処理は図１のステップＳ７に移行する。
【００５３】
一方、ステップＴ８において、Ｋ＝２０である、即ち、四隅を構成する画素群ＬＵ、ＲＵ、ＬＤ及びＲＤが全て黒であると判別された場合（ステップＴ８；ＹＥＳ）、表示部１５に「ケラレが発生しています。倍率変更しますか？」というケラレの発生を通知する警告メッセージ、倍率変更を指示する倍率変更ボタンＢ３、倍率変更しないことを指示する倍率変更不可ボタンＢ４が表示されたケラレ警告画面１５２（図７（ａ）参照）が表示される（ステップＴ１２）。
【００５４】
ケラレ警告画面１５２から倍率変更が指示されると（ステップＴ１３；ＹＥＳ）、処理はステップＴ１１に移行し、デジタルズーム機能により倍率がテレ側（高倍率）に変更され（ステップＴ１１）、処理は図１のステップＳ７に移行する。ケラレ警告画面１５２から倍率変更しないことが指示されると（ステップＴ１３：ＮＯ）、シャッタースイッチが無効とされ（ステップＴ１４）、処理は図１のステップＳ７に移行する。
【００５５】
＜ケラレ判別撮影処理Ｂ＞
以下、図３のステップＳ６において実行されるケラレ判別撮影処理Ｂについて説明する。
図８は、ＣＰＵ１１により実行されるケラレ判別撮影処理Ｂを示すフローチャートである。当該処理は、ＣＰＵ１１と記録部１７に記憶されているケラレ判別撮影処理Ｂプログラムとの協働によるソフトウエア処理により実現される処理である。
【００５６】
まず、撮像部１６において、画像の取り込みが行われる（ステップＴ２１）。即ち、ＣＣＤ２３において、レンズ２１及び絞り機構２２を透過して結像された被写体光が光電変換されて電荷が蓄積され、駆動回路２６から与えられる駆動パルス信号によって蓄積された電荷が順次読み出される。読み出された電荷は、アナログ回路２７及びＡ／Ｄ変換器２８を介して画像データに変換され、バッファレジスタ２９に取り込まれる。
【００５７】
ステップＴ２１で画像データが取り込まれると、取り込まれた画像データがＲＡＭ１３に読み出され、ケラレが含まれているか否かが判別される。ケラレが含まれているか否かの判別は、取り込まれた画像データの四隅の画素が黒であるか否かにを判別することより行われる。具体的には、図５に示す左上の画素群ＬＵ（アドレスＡ１、Ａ２、Ａ３、Ｂ１、Ｃ１の画素）、右上の画素群ＲＵ（アドレスＡ１４、Ａ１５、Ａ１６、Ｂ１６、Ｃ１６の画素）、左下の画素群ＬＤ（アドレスＮ１、Ｏ１、Ｐ１、Ｐ２、Ｐ３の画素）、右下の画素群ＲＤ（アドレスＮ１６、Ｏ１６、Ｐ１４、Ｐ１５、Ｐ１６の画素）が黒であるか否かを判別することより、ケラレが含まれているか否かの判別が行われる。
【００５８】
ステップＴ２２において、まず、取り込まれた画像データから、四隅の画素群ＬＵ、ＲＵ、ＬＤ及びＲＤを構成する各画素の信号値が１つずつ参照され、予め設定された基準値以下の信号値、即ち、黒を示す信号値を示す画素の数Ｋがカウントされる（ステップＴ２２）。次いで、Ｋ＝０であるか否かが判別され、Ｋ＝０、即ち、四隅を構成する画素群ＬＵ、ＲＵ、ＬＤ及びＲＤの画素に黒が含まれないと判別された場合は（ステップＴ２３；ＹＥＳ）、所定時間が経過するまで待機され、所定時間が経過すると（ステップＴ２４；ＹＥＳ）、撮影を実行することを示すＬＥＤ１が点滅され（ステップＴ２５）、撮像部１６が制御されて撮影動作が行われ、取り込まれた画像データが記録部１７の撮影画像記録領域１７１もしくは記録媒体１８ａに記録され（ステップＴ２６）、処理は図１のステップＳ７に移行する。
【００５９】
ステップＴ２３において、Ｋ＝０ではないと判別された場合、即ち、四隅を構成する画素群ＬＵ、ＲＵ、ＬＤ及びＲＤに黒が含まれると判別された場合（ステップＴ２３；ＮＯ）、取り込まれた画像データにケラレが含まれると判別され、ケラレの発生を通知するとともに被写体とデジタルカメラ１０との相対距離の増加を促すＬＥＤ２が点滅され（ステップＴ２７）、デジタルズーム機能により倍率がテレ側（高倍率）に変更され（ステップＴ２８）、処理はステップＴ２１に戻る。
【００６０】
ここで、ステップＴ２７におけるＬＥＤ２の表示に従って被写体とデジタルカメラ１０の相対距離が増加することにより、倍率をケラレの発生しない高倍率に変更することが可能となる。倍率変更後のステップＴ２３において、四隅の画素に黒は含まれない、即ち、ケラレが解消されたと判断された場合、所定時間経過後、撮影することを示すＬＥＤ１が表示され、撮影動作及び画像記録が行われ、処理は図１のステップＳ７に移行する。
【００６１】
なお、図８に示すケラレ判別撮影処理Ｂにおいては、ケラレであることを精度良く判別するために、四隅の画素に黒が含まれていれば撮影を行わず倍率変更することとしたが、例えば、四隅のうち何れかの画素群の全てが黒である場合にケラレとして判別してもよいし、四隅の全てが黒である場合にケラレとして判別してもよい。ユーザの使い勝手に応じてケラレの判別の精度を入力部１２から設定できるようにしてもよい。
【００６２】
以上のように、撮影モード処理においては、ケラレ判別の実施が設定されている場合、撮像部１６により取り込まれた、撮影しようとする画像データの四隅の画素の信号値に基づいて、画像データにケラレが含まれているか否かが判別され、ケラレが含まれていると判別された場合、ケラレ警告画面１５２が表示されることによりその旨が撮影者に通知され、デジタルズーム機能によりケラレが解除される倍率まで高倍率に変更されて撮影される。ユーザが倍率変更を許可しない場合には、シャッタースイッチが無効とされる。また、取り込まれた画像データにケラレが含まれる可能性があると判別された場合は、ケラレ報知画面１５１が表示されることによりその旨が撮影者に通知され、撮影者の選択に基づき、デジタルズーム機能によりケラレが解除される倍率まで高倍率に変更され撮影が行われる又はそのまま撮影が続行される。また、セルフタイマが設定され自動で撮影が行われる場合においても、撮影しようとする画像データにケラレが含まれるか否かが判別され、ケラレが含まれると判別された場合には被写体にデジタルカメラ１０との相対的な距離を増加するように指示するＬＥＤ２が点滅されるとともにデジタルズーム機能により高倍率に変更され、ケラレが解除された時点で撮影が行われる。
【００６３】
従って、ケラレが含まれる画像が撮影され、撮影画像記録領域１７１又は記録媒体１８ａに記録されることを未然に防止することが可能となり、撮影画像記録領域１７１又は記録媒体１８ａの無駄を抑制することができる。また、ユーザがパーソナルコンピュータ上で画像にケラレが発生しているか否かを目視により判別し、消去する作業を行う必要がなくなる。
【００６４】
〔編集モード処理〕
以下、デジタルカメラ１０において、編集モードが設定されている場合に実行される編集モード処理について説明する。
【００６５】
＜編集モード処理Ａ＞
編集モード処理Ａでは、撮影され撮影画像記録領域１７１又は記録媒体１８ａに記録された画像データについて、ケラレが含まれているか又はケラレが含まれる可能性があるかを判別し、ケラレが含まれている場合にその旨を警告し、ケラレが含まれる可能性がある場合にはその旨を報知し、ユーザからの指示入力に応じてその画像データを消去するか又はケラレが含まれる画像データを格納する専用の記憶領域であるケラレ付フォルダ１７３に格納するものである。
【００６６】
図９は、デジタルカメラ１０のＣＰＵ１１により実行される編集モード処理Ａを示すフローチャートである。当該処理は、ＣＰＵ１１と記録部１７に記憶されている編集モード処理Ａプログラムとの協働によるソフトウエア処理により実現される処理である。
【００６７】
まず、ポインタｎに１が設定され（ステップＳ１１）、ＲＡＭ１３に撮影画像記録領域１７１からｎ枚目の画像データが読み出される（ステップＳ１２）。読み出された画像データは、表示部１５に再生されるとともに（ステップＳ１３）、図５に示す四隅の画素群ＬＵ、ＲＵ、ＬＤ及びＲＤを構成する各画素の信号値が１つずつ参照され、予め設定された基準値以下の信号値、即ち、黒を示す信号値を示す画素の数Ｋがカウントされる（ステップＳ１４）。カウント値Ｋ＝０、即ち、四隅を構成する画素群ＬＵ、ＲＵ、ＬＤ及びＲＤの画素に黒が含まれないと判別された場合は（ステップＳ１５；ＹＥＳ）、正常画像フォルダ１７２に当該読み出された画像データが格納され（ステップＳ１６）、処理はステップＳ２４に移行する。
【００６８】
一方、カウント値Ｋ＝０ではない、即ち、四隅を構成する画素群ＬＵ、ＲＵ、ＬＤ及びＲＤの画素に黒が含まれると判別された場合は（ステップＳ１５；ＮＯ）、Ｋ＝２０であるか否かが判別され、Ｋ＝２０である、即ち、画素群ＬＵ、ＲＵ、ＬＤ及びＲＤを構成する画素の全てが黒であると判別された場合は（ステップＳ１７；ＹＥＳ）、表示部１５の再生画面上に「ケラレが発生しています。消去しますか」というケラレが含まれることを通知する警告メッセージ、当該画像データの消去を指示する消去指示ボタン、消去せずにケラレ付フォルダに格納することを指示する格納指示ボタンが表示されたケラレ警告画面（図示せず）がオーバーレイ表示される（ステップＳ１８）。Ｋ＝２０ではない、即ち、画素群ＬＵ、ＲＵ、ＬＤ及びＲＤを構成する画素に黒は含まれるが全てが黒ではなく、他の信号値が含まれていると判別された場合は（ステップＳ１７；ＮＯ）、表示部１５の再生画面上に「ケラレの可能性があります。消去しますか」というケラレが含まれる可能性を通知するメッセージ、当該画像データの消去を指示する消去指示ボタン、消去せずにケラレ付フォルダに格納することを指示する格納指示ボタンが表示されたケラレ報知画面（図示せず）がオーバーレイ表示される（ステップＳ１９）。
【００６９】
ケラレ警告画面又はケラレ報知画面から消去指示ボタンが押下され、当該読み出された画像データの消去が指示された場合（ステップＳ２０；ＹＥＳ）、撮影画像記録領域１７１から当該画像データが消去され（ステップＳ２１）、処理はステップＳ２４に移行する。ケラレ警告画面又はケラレ報知画面から格納指示ボタンが押下され、当該読み出された画像データのケラレ付フォルダへの格納が指示された場合（ステップＳ２０；ＮＯ）、当該画像データのファイル名がケラレ付きであることを示す識別子が付与されたファイル名に変更され（ステップＳ２２）、記録部１７内に形成されたケラレ付フォルダ１７３に格納され（ステップＳ２３）、処理はステップＳ２４に移行する。
【００７０】
ステップＳ２４においては、ｎ≧撮影画像記録領域１７１の画像数であるか否かが判断され、ｎ≧撮影画像記録領域１７１の画像数ではないと判断された場合（ステップＳ２４；ＮＯ）、ｎが１インクリメントされ（ステップＳ２５）、処理はステップＳ１２に戻る。ステップＳ２４において、ｎ≧撮影画像記録領域１７１の画像数であると判断されると（ステップＳ２４；ＹＥＳ）、本処理は終了する。
【００７１】
上記編集モード処理Ａにおいては、撮影され撮影画像記録領域１７１に記録された画像データに対して、ケラレが含まれているか又はケラレが含まれている可能性があるかを判別する処理を行い、ケラレが含まれている画像データについてはケラレ警告画面を表示し、ケラレが含まれる可能性がある画像データについてはケラレ報知画面を表示し、ユーザからの指示に基づいて、その画像を消去するか又はケラレ付フォルダに格納する。従って、ユーザは、撮影された画像データのうちケラレの発生しているもの、ケラレが含まれる可能性のあるものを容易に認識することができ、消去することができる。ケラレが含まれていても保存しておきたい画像データは、ケラレが含まれる画像データを格納するための専用の記憶領域であるケラレ付フォルダ１７３にケラレ付であることを示す識別子が含まれるファイル名を付けて格納するので、ケラレが発生しているか又はケラレの可能性のある画像データを容易に検索することが可能となる。
【００７２】
＜編集モード処理Ｂ＞
編集モード処理Ｂでは、撮影され撮影画像記録領域１７１又は記録媒体１８ａに記録された画像データについて、ケラレが含まれているか又はケラレが含まれている可能性があるかを判別し、ケラレが含まれている場合には、その画像から四隅の画像を切り取り、ケラレの可能性がある場合には、四隅に含まれる黒の部分を除いて切り出すことにより、自動的に画像データからケラレを除去して正常画像フォルダ１７２に格納するものである。
【００７３】
図１０は、デジタルカメラ１０のＣＰＵ１１により実行される編集モード処理Ｂを示すフローチャートである。当該処理は、ＣＰＵ１１と記録部１７に記憶されている編集モード処理Ｂプログラムとの協働によるソフトウエア処理により実現される処理である。
【００７４】
まず、ポインタｎに１が設定され（ステップＳ３１）、撮影画像記録領域１７１からｎ枚目の画像データが読み出される（ステップＳ３２）。読み出された画像データは、表示部１５に再生されるとともに（ステップＳ３３）、図５に示す四隅の画素群ＬＵ、ＲＵ、ＬＤ及びＲＤを構成する各画素の信号値が１つずつ参照され、予め設定された基準値以下の信号値、即ち、黒を示す信号値を示す画素の数Ｋがカウントされる（ステップＳ３４）。カウント値Ｋ＝０、即ち、四隅を構成する画素群ＬＵ、ＲＵ、ＬＤ及びＲＤの画素に黒が含まれないと判別された場合は（ステップＳ３５；ＹＥＳ）、正常画像フォルダ１７２に当該読み出された画像データが格納され（ステップＳ３６）、処理はステップＳ４１に移行する。
【００７５】
一方、カウント値Ｋ＝０ではない、即ち、四隅を構成する画素群ＬＵ、ＲＵ、ＬＤ及びＲＤの画素に黒が含まれると判別された場合は（ステップＳ３５；ＮＯ）、Ｋ＝２０であるか否かが判別され、Ｋ＝２０である、即ち、画素群ＬＵ、ＲＵ、ＬＤ及びＲＤを構成する画素の全てが黒であると判別された場合は（ステップＳ３７；ＹＥＳ）、当該画像データから四隅が切り取られ（ステップＳ３８）、ケラレが除去された画像データが記録部１７に形成された正常画像フォルダ１７２に格納され（ステップＳ３６）、処理はステップＳ４１に移行する。Ｋ＝２０ではない、即ち、画素群ＬＵ、ＲＵ、ＬＤ及びＲＤを構成する画素に黒が含まれるが全てが黒ではなく、他の信号値が含まれていると判別された場合は（ステップＳ３７；ＮＯ）、四隅に含まれる黒の画素が判別され（ステップＳ３９）、黒の部分を除いて画像が切り出され（ステップＳ４０）、ケラレの可能性のある部分が除去された画像データが記録部１７に形成された正常画像フォルダ１７２に格納され（ステップＳ３６）、処理はステップＳ４１に移行する。
【００７６】
ステップＳ４１においては、ｎ≧撮影画像記録領域１７１の画像数であるか否かが判断され、ｎ≧撮影画像記録領域１７１の画像数ではないと判断された場合（ステップＳ４１；ＮＯ）、ｎが１インクリメントされ（ステップＳ４２）、処理はステップＳ３２に戻る。ステップＳ４１において、ｎ≧撮影画像記録領域１７１の画像数であると判断されると（ステップＳ４１；ＹＥＳ）、本処理は終了する。
【００７７】
上記編集モード処理Ｂにおいては、撮影され撮影画像記録領域１７１に記録された画像データに対して、ケラレが含まれているか又はケラレが含まれている可能性があるかを判別する処理を行い、ケラレが含まれている画像データについては四隅を切り取り、ケラレが含まれる可能性のある画像データについては、四隅の黒の部分を除いた切り出しを行い、ケラレが除去された画像データが正常画像フォルダ１７２に格納される。従って、ケラレが発生したあるいはケラレの可能性のある画像を自動的に補正してケラレのない画像として保存することが可能となる。
【００７８】
なお、図９及び図１０に示す編集モード処理Ａ及び編集モード処理Ｂにおいては、撮影画像記録領域１７１に記録されている画像を対象として処理する場合を例にとり説明したが、記録媒体１８ａに記録されている画像データについても、同様の処理を行うことが可能である。
【００７９】
〔変形例〕
以下、本発明に係るデジタルカメラ１０における変形例について説明する。上記撮影モード処理においては、ケラレ判別の実施が設定されている場合には、シャッタースイッチ押下による撮影前に撮像部１６により取り込まれる画像に対してケラレが含まれているか否かの判別を行ったが、図１１、図１２に示すように、シャッタースイッチが押下され、撮影された画像に対して、ケラレの有無を判別し、撮影された画像に対して所定の処理を施すようにしてもよい。
【００８０】
図１１は、撮影モードにおいてケラレ判別の実施が設定されている場合にデジタルカメラ１０のＣＰＵ１１により実行される撮影処理Ａを示すフローチャートである。当該処理は、ＣＰＵ１１と記録部１７に記憶されている撮影処理Ａプログラムとの協働によるソフトウエア処理により実現される処理である。
【００８１】
入力部１２のシャッタースイッチが押下されると（ステップＳ５１；ＹＥＳ）、撮像部１６が制御されて撮影動作が行われ（ステップＳ５２）、撮影された画像データから、図５に示す四隅の画素群ＬＵ、ＲＵ、ＬＤ及びＲＤを構成する各画素の信号値が１つずつ参照され、予め設定された基準値以下の信号値、即ち、黒を示す信号値を示す画素の数Ｋがカウントされる（ステップＳ５３）。カウント値Ｋ＝０、即ち、四隅を構成する画素群ＬＵ、ＲＵ、ＬＤ及びＲＤの画素に黒が含まれないと判別された場合は（ステップＳ５４；ＹＥＳ）、撮影により取り込まれた画像データが記録部１７の撮影画像記録領域１７１もしくは記録媒体１８ａに記録され（ステップＳ５５）、本処理は終了する。
【００８２】
一方、カウント値Ｋ＝０ではない、即ち、四隅を構成する画素群ＬＵ、ＲＵ、ＬＤ及びＲＤの画素に黒が含まれると判別された場合は（ステップＳ５４；ＮＯ）、ケラレが含まれていると判別され、表示部１５に、ケラレ発生及び画像を記録しないことをユーザに通知する通知画面（図示せず）が表示され（ステップＳ５６）、撮影された画像データは記録されずに本処理は終了する。
【００８３】
撮影処理Ａによれば、ケラレが含まれていると判別された画像データは自動的に記録されないようになっているので、記録部１７や記録媒体１８ａの記憶領域の無駄を抑制することができる。また、撮影後、ユーザがパーソナルコンピュータ上で画像にケラレが発生しているか否かを目視により判別し、消去する作業を行う必要がなくなる。
【００８４】
＜撮影処理Ｂ＞
ケラレは、特に、デジタルカメラ１０に所定の外付けレンズ、例えば望遠レンズ２１ｂを装着した場合に発生しやすいため、外付けレンズが装着されている場合にケラレの判別を行うようにすると、効率良くケラレの判別及び撮影を行うことが可能となる。
【００８５】
図１２に示す撮影処理Ｂは、上述の撮影処理Ａの変形例としての撮影処理Ｂを示すフローチャートである。当該処理は、ＣＰＵ１１と記録部１７に記憶されている撮影処理Ｂプログラムとの協働によるソフトウエア処理により実現される処理である。
【００８６】
入力部１２のシャッタースイッチが押下されると（ステップＳ６１；ＹＥＳ）、撮像部１６が制御され撮影動作が行われる（ステップＳ６２）。次いで、デジタルカメラ１０に望遠レンズ２１ｂが装着されているか否かが判断され、望遠レンズ２１ｂが装着されていないと判断された場合には（ステップＳ６３；ＮＯ）、処理はステップＳ６６に移行し、撮影により取り込まれた画像データが記録部１７の撮影画像記録領域１７１もしくは記録媒体１８ａに記録され（ステップＳ６６）、本処理は終了する。なお、デジタルカメラ１０において、望遠レンズ２１ｂを装着するためのネジ部には、図示しないピンが設けられており、望遠レンズ２１ｂの装着によりこのピンが押下されることにより、図示しないレンズ装着検知スイッチがＯＮとなり、ＣＰＵ１１に望遠レンズ２１ｂの装着が検知されるようになっている。
【００８７】
一方、デジタルカメラ１０に望遠レンズ２１ｂが装着されている場合には（ステップＳ６３；ＹＥＳ）、撮影された画像データから、図５に示す四隅の画素群ＬＵ、ＲＵ、ＬＤ及びＲＤを構成する各画素の信号値が１つずつ参照され、予め設定された基準値以下の信号値、即ち、黒を示す信号値を示す画素の数Ｋがカウントされる（ステップＳ６４）。カウント値Ｋ＝０、即ち、四隅を構成する画素群ＬＵ、ＲＵ、ＬＤ及びＲＤの画素に黒が含まれないと判別された場合は（ステップＳ６５；ＹＥＳ）、ケラレが含まれないと判別され、撮影により取り込まれた画像データが記録部１７の撮影画像記録領域１７１もしくは記録媒体１８ａに記録され（ステップＳ６６）、本処理は終了する。
【００８８】
一方、カウント値Ｋ＝０ではない、即ち、四隅を構成する画素群ＬＵ、ＲＵ、ＬＤ及びＲＤの画素に黒が含まれると判別された場合は（ステップＳ６５；ＮＯ）、ケラレが含まれると判別され、表示部１５に、ケラレ発生及び画像を記録しないことをユーザに通知する通知画面（図示せず）が表示され（ステップＳ６７）、撮影された画像データは記録されずに本処理は終了する。
【００８９】
撮影処理Ｂによれば、効率良くケラレの判別及び撮影を行うことが可能となる。
【００９０】
なお、撮影処理Ａ、撮影処理Ｂにおいては、ケラレであることを精度良く判別するために、四隅の画素に黒が含まれていればケラレが含まれると判別し、画像データを記録しないこととしたが、例えば、四隅のうち何れかの画素群の全てが黒である場合にケラレとして判別してもよいし、四隅の全てが黒である場合にケラレとして判別してもよい。ユーザの使い勝手に応じてケラレの判別の精度を入力部１２から設定できるようにしてもよい。
【００９１】
また、図４に示すケラレ判別撮影処理Ａ、図８に示すケラレ判別撮影処理Ｂにおいても、外付けレンズである望遠レンズ２１ｂの装着の有無を判別するようにし、望遠レンズ２１ｂが装着されている場合にケラレの判別を行うようにしてもよい。これにより、効率良くケラレの判別及び撮影を行うことが可能となる。
【００９２】
以上説明したように、デジタルカメラ１０によれば、撮像部１６により取り込まれた撮影しようとする画像データの四隅の画素の信号値に基づきその画像データにケラレが含まれるか否かを判別し、ケラレが含まれると判別された場合に、その旨をユーザに通知するので、ケラレが含まれる撮影画像が自動的に記録されてしまうことを簡易に防止することができる。
【００９３】
また、撮影部１６により取り込まれた撮影しようとする画像データにケラレが含まれると判別された場合には、シャッタースイッチの動作を無効とすることができるので、ケラレが含まれる画像が撮影され、撮影画像記録領域１７１又は記録媒体１８ａに記録されることを簡易な方法で未然に防止することが可能となり、撮影画像記録領域１７１又は記録媒体１８ａの無駄を抑制することができる。また、ユーザがパーソナルコンピュータ上で画像にケラレが発生しているか否かを目視により判別し、消去する作業を行う必要がなくなる。
【００９４】
また、撮影部１６により取り込まれた撮影しようとする画像データにケラレが含まれると判別された場合には、画像を拡大するデジタルズーム機能により拡大倍率を高倍率に変更し、撮影しようとする画像データからケラレが除去された時点で撮影動作を行うので、撮影しようとする画像データにケラレが含まれていても、自動的にケラレを解消し、ケラレのない撮影画像を得ることが可能となる。
【００９５】
また、撮影部１６により取り込まれた撮影しようとする画像データにケラレが含まれると判別された場合に、被写体とデジタルカメラ１０との相対距離の増加を促す指示情報を出力するので、被写体が指示に従って後退する等によりデジタルカメラ１０との相対距離を増加させることにより、デジタルカメラ１０において画像を拡大するデジタルズーム機能により拡大倍率を高倍率に変更し、撮影しようとする画像データからケラレが除去された時点で撮影動作を行うことが可能となる。特にセルフタイマ設定時に有効である。
【００９６】
また、デジタルカメラ１０によれば、撮影画像記録領域１７１又は記録媒体１８ａに記録された画像データを再生する際に、その画像データにケラレが含まれるか否かを判別し、ケラレが含まれると判別された際に、その旨をユーザに通知し、ユーザからその画像データの消去が指示された場合に、その画像データを撮影画像記録領域１７１又は記録媒体１８ａから消去するので、ケラレが含まれた画像データが記録されていることにより撮影画像記録領域１７１又は記録媒体１８ａの記憶容量が圧迫されることを抑制することができる。また、ユーザがパーソナルコンピュータ上で画像にケラレが発生しているか否かを目視により判別し、消去する作業を行う必要がなくなる。
【００９７】
また、ケラレが含まれると判別された画像データを保存したい場合には、ケラレが含まれることを示す識別子を付加したファイル名に変更し、専用の記憶領域に格納するので、ケラレが含まれるか又はケラレが含まれる可能性のある画像データを容易に検索することが可能となる。
【００９８】
また、デジタルカメラ１０によれば、撮影された画像データにケラレが含まれるか否かを判別し、ケラレが含まれないと判別された際に、その画像データを撮影画像記録領域１７１又は記録媒体１８ａに記録し、ケラレが含まれると判別された場合に、撮影画像記録領域１７１及び記録媒体１８ａにその画像データを記録しないようにするので、ケラレが含まれる画像データを撮影画像記録領域１７１又は記録媒体１８ａに記録することを簡易な方法で未然に防止することが可能となり、撮影画像記録領域１７１又は記録媒体１８ａの無駄を抑制することができる。また、ユーザがパーソナルコンピュータ上で画像にケラレが発生しているか否かを目視により判別し、消去する作業を行う必要がなくなる。
【００９９】
また、デジタルカメラ１０によれば、撮影された画像データにケラレが含まれるか否かを判別し、ケラレが含まれていると判別された際にケラレを除去する補正を行うことができるので、撮影された画像データを全てケラレのない状態で記録することが可能となる。
【０１００】
また、外付けレンズの装着が検知された場合に、ケラレが含まれるか否かの判別を行うことにより、効率良くケラレの判別及び撮影を行うことが可能となる。
【０１０１】
なお、上記実施の形態における記述内容は、本発明に係るデジタルカメラ１０の好適な一例であり、これに限定されるものではない。
【０１０２】
例えば、上記実施形態においては、撮影者や被写体に対して、画像データにケラレが含まれることを通知するための通知手段として、表示部１５の表示画面上の表示やＬＥＤの点滅により行う場合を例にとり説明したが、通知手段としては、音声、ブザー等の音情報を用いるようにしてもよい。
【０１０３】
また、上記実施の形態においては、画像データに含まれる欠陥をケラレとし、画像データが欠陥画像であるか否かの判別を、画像データの四隅にケラレが含まれるか否かを判別することとして説明したが、例えば、画像データにおけるエッジ付近のコントラストに基づいて、欠陥画像（ボケ画像）であるか否かを判別するようにして、画像データに含まれる欠陥をケラレ以外の欠陥としてもよい。また、画像データの全体の色調に基づいて欠陥画像であるか否かを判別する（例えば、同色が漠然と広がっていればボケと判別する等）ようにしてもよい。
【０１０４】
また、画像データの下部に黒が含まれている場合に欠陥画像であると判別し、自動的にデジタルズームで黒が含まれない倍率まで変更するようにすれば、例えば、ショーなどで人の頭越しに撮影を行う場合に便利である。
【０１０５】
その他、デジタルカメラ１０を構成する各装置の細部構成及び細部動作に関しても、本発明の趣旨を逸脱することのない範囲で適宜変更可能である。
【図面の簡単な説明】
【０１０６】
【図１】本発明に係るデジタルカメラ１０の機能的構成を示すブロック図である。
【図２】図１の撮像部１６の詳細構成を示す図である。
【図３】図１のＣＰＵ１１により実行される撮影モード処理を示すフローチャートである。
【図４】図１のＣＰＵ１１により実行されるケラレ判別撮影処理Ａを示すフローチャートである。
【図５】図２のＣＣＤ２３の撮像面を模式的に示す図である。
【図６】図１の入力部１２のシャッタースイッチの有効／無効を切り換える構成を示す図である。
【図７】（ａ）は、ケラレ報知画面１５１の一例を示す図、（ｂ）は、ケラレ警告画面１５２の一例を示す図である。
【図８】図１のＣＰＵ１１により実行されるケラレ判別撮影処理Ｂを示すフローチャートである。
【図９】図１のＣＰＵ１１により実行される編集モード処理Ａを示すフローチャートである。
【図１０】図１のＣＰＵ１１により実行される編集モード処理Ｂを示すフローチャートである。
【図１１】図１のＣＰＵ１１により実行される撮影処理Ａを示すフローチャートである。
【図１２】図１のＣＰＵ１１により実行される撮影処理Ｂを示すフローチャートである。
【図１３】ケラレが発生した画像の一例を示す図である。
【符号の説明】
【０１０７】
１０  デジタルカメラ
１１  ＣＰＵ
１２  入力部
１３  ＲＡＭ
１４  伝送制御部
１５  表示部
１６  撮像部
１７  記録部
１７１  撮像画像記録領域
１７２  正常画像フォルダ
１７３  ケラレ付フォルダ
１８  記録媒体駆動部
１８ａ  記録媒体
１９  バス
２１  レンズ
２１ａ  内蔵レンズ
２１ｂ  望遠レンズ
２２  絞り機構
２３  ＣＣＤ
２４  光学系駆動部
２５  センサ部
２６  駆動回路
２７  アナログ処理回路
２８  Ａ／Ｄ変換回路
２９  バッファレジスタ
３０  信号処理回路
３１  圧縮伸張回路
【図１】
2006174034.tif 000003
【図２】
2006174034.tif 000004
【図３】
2006174034.tif 000005
【図４】
2006174034.tif 000006
【図５】
2006174034.tif 000007
【図６】
2006174034.tif 000008
【図７】
2006174034.tif 000009
【図８】
2006174034.tif 000010
【図９】
2006174034.tif 000011
【図１０】
2006174034.tif 000012
【図１１】
2006174034.tif 000013
【図１２】
2006174034.tif 000014
【図１３】
2006174034.tif 000015